【手続補正書】
【提出日】令和2年11月16日(2020.11.16)
【手続補正１】
【補正対象書類名】特許請求の範囲
【補正対象項目名】全文
【補正方法】変更
【補正の内容】
【特許請求の範囲】
【請求項１】
投写面に画像を投写する複数の投写装置と、前記投写面を撮像する撮像装置とを制御する制御手段を備える投写制御装置であって、
前記制御手段は、
前記複数の投写装置のすべてが第１のテスト画像を投写している状態で前記投写面を前記撮像装置により撮像させて、前記複数の投写装置の投写領域が前記撮像装置の撮像範囲に収まっていることを確認するための第１のテスト撮像と、
前記複数の投写装置の一部が第２のテスト画像を投写している状態で前記投写面を前記撮像装置により撮像させて、前記第２のテスト画像を投写している投写装置の投写領域を特定するための第２のテスト撮像と、を実行する、
ことを特徴とする投写制御装置。
【請求項２】
前記制御手段は、
前記第１のテスト撮像を実行する前に、前記複数の投写装置のすべてについて、適用されている幾何補正を解除し、
前記第２のテスト撮像を実行する前に、前記複数の投写装置のうち前記第２のテスト画像を投写する投写装置について、適用されている幾何補正を解除しない、ことを特徴とする請求項１に記載の投写制御装置。
【請求項３】
前記制御手段は、前記第２のテスト画像を投写させる投写装置を順に切り換えて前記第２のテスト撮像を実行し、前記複数の投写装置のそれぞれについて投写領域を特定することを特徴とする請求項１または２に記載の投写制御装置。
【請求項４】
前記制御手段は、前記第２のテスト撮像で得られた画像に基づいて、前記撮像装置の撮像条件を決定することを特徴とする請求項１から３のいずれか１項に記載の投写制御装置。
【請求項５】
前記制御手段はさらに、
前記第２のテスト撮像によって得られた画像に基づいて前記撮像装置の撮像条件を決定し、
前記複数の投写装置のそれぞれに第３のテスト画像を投写させた状態で前記撮像装置に前記投写面を撮像させて得られた画像に基づいて、前記複数の投写装置の幾何補正の調整処理を実行する、
ことを特徴とする請求項１から４のいずれか1項に記載の投写制御装置。
【請求項６】
前記第２のテスト画像と前記第３のテスト画像とが同一であることを特徴とする請求項５に記載の投写制御装置。
【請求項７】
前記第１のテスト画像は、投写面に投写された状態で少なくとも投写領域の外縁を確認可能な画像であることを特徴とする請求項１から６のいずれか1項に記載の投写制御装置。
【請求項８】
前記制御手段はさらに、前記第１のテスト撮像で得られた画像を表示手段に表示することを特徴とする請求項１から７のいずれか1項に記載の投写制御装置。
【請求項９】
投写面に画像を投写する複数の投写装置と、
前記投写面を撮像する撮像装置と
請求項１から８のいずれか１項に記載の投写制御装置と、
を有することを特徴とする投写システム。
【請求項１０】
投写面に画像を投写する複数の投写装置と、前記投写面を撮像する撮像装置とを制御する投写制御装置の制御方法であって、
前記複数の投写装置のすべてが第１のテスト画像を投写している状態で前記投写面を前記撮像装置により撮像させて、前記複数の投写装置の投写領域が前記撮像装置の撮像範囲に収まっていることを確認するための第１のテスト撮像を実行する工程と、
前記複数の投写装置の一部が第２のテスト画像を投写している状態で前記投写面を前記撮像装置により撮像させて、前記第２のテスト画像を投写している投写装置の投写領域を特定するための第２のテスト撮像を実行する工程と、
を有することを特徴とする投写制御装置の制御方法。
【請求項１１】
前記第１のテスト撮像を実行する工程の前に、前記複数の投写装置のすべてについて、適用されている幾何補正を解除する工程をさらに有し、
前記第２のテスト撮像を実行する工程の前には、前記複数の投写装置のうち前記第２のテスト画像を投写する投写装置について、適用されている幾何補正を解除しないことを特徴とする請求項１０に記載の投写制御装置の制御方法。
【請求項１２】
前記第２のテスト画像を投写させる投写装置を順に切り換えて実行された前記第２のテスト撮像で得られた画像に基づいて、前記複数の投写装置のそれぞれについて投写領域を特定する工程をさらに有することを特徴とする請求項１０または１１に記載の投写制御装置の制御方法。
【請求項１３】
前記第２のテスト撮像で得られた画像に基づいて、前記撮像装置の撮像条件を決定する工程をさらに有することを特徴とする請求項１０から１２のいずれか１項に記載の投写制御装置の制御方法。
【請求項１４】
前記第２のテスト撮像で得られた画像に基づいて前記撮像装置の撮像条件を決定する工程と、
前記複数の投写装置のそれぞれに第３のテスト画像を投写させた状態で前記撮像装置に前記投写面を撮像させて得られた画像に基づいて、前記複数の投写装置の幾何補正の調整処理を実行する工程と、
をさらに有することを特徴とする請求項１０から１３のいずれか1項に記載の投写制御装置の制御方法。
【請求項１５】
前記第２のテスト画像と前記第３のテスト画像とが同一であることを特徴とする請求項１４に記載の投写制御装置の制御方法。
【請求項１６】
前記第１のテスト画像は、投写面に投写された状態で少なくとも投写領域の外縁を確認可能な画像であることを特徴とする請求項１０から１５のいずれか1項に記載の投写制御装置の制御方法。
【請求項１７】
前記第１のテスト撮像で得られた画像を表示手段に表示する工程をさらに有することを特徴とする請求項１０から１６のいずれか1項に記載の投写制御装置の制御方法。
【請求項１８】
コンピュータを、請求項１から８のいずれか１項に記載の投写制御装置が有する制御手段として機能させるためのプログラム。
【請求項１９】
コンピュータを、請求項１から８のいずれか１項に記載の投写制御装置が有する制御手段として機能させるためのプログラムを格納したコンピュータ読み取り可能な記憶媒体。
【手続補正２】
【補正対象書類名】明細書
【補正対象項目名】０００８
【補正方法】変更
【補正の内容】
【０００８】
上述の目的は、投写面に画像を投写する複数の投写装置と、投写面を撮像する撮像装置とを制御する制御手段を備える投写制御装置であって、制御手段は、複数の投写装置のすべてが第１のテスト画像を投写している状態で投写面を撮像装置により撮像させて、複数の投写装置の投写領域が撮像装置の撮像範囲に収まっていることを確認するための第１のテスト撮像と、複数の投写装置の一部が第２のテスト画像を投写している状態で投写面を撮像装置により撮像させて、第２のテスト画像を投写している投写装置の投写領域を特定するための第２のテスト撮像と、を実行する、ことを特徴とする投写制御装置によって達成される。
【手続補正３】
【補正対象書類名】明細書
【補正対象項目名】００１６
【補正方法】変更
【補正の内容】
【００１６】
投写システム１０はさらに、例えばデジタルカメラである撮像装置４００を有する。撮像装置４００は投写面に正対する位置に、投写面の全体を撮影範囲として含むように設置されているものとする。撮像装置４００は直接、あるいはＬＡＮを通じて、ＰＣ２００と通信可能に接続される。ＰＣ２００は、撮像装置４００に予め定められたコマンドを送信することにより、撮像装置４００の動作を制御することができる。例えば撮像装置４００はＰＣ２００からの要求に応じて撮影を行い、得られた画像データをＰＣ２００に送信することができる。
【手続補正４】
【補正対象書類名】明細書
【補正対象項目名】００５４
【補正方法】変更
【補正の内容】
【００５４】
図６は、ＣＰＵ２０１が投写制御アプリケーションプログラムを実行することにより表示部２０５に表示されるＧＵＩ画面６００の例を示す図である。ユーザはＰＣ２００の操作部２０４を通じてＧＵＩ画面６００を操作する。なお、図６（ａ）と図６（ｂ）は、ＧＵＩ画面６００の下側の一部でスタック投写に関する表示を行っている場合と、マルチスクリーン投写に関する表示を行っている場合とを示していること以外は共通である。
【手続補正５】
【補正対象書類名】明細書
【補正対象項目名】００８８
【補正方法】変更
【補正の内容】
【００８８】
なお、ここでは調整対象のプロジェクタの全てについて１つずつ撮影条件を確認する場合について説明するが、調整対象のプロジェクタのうち、ユーザが選択した１つについてだけ撮影条件を確認できるようにしてもよい。この場合、調整対象のプロジェクタの１つを選択するためのＧＵＩ（例えば、リストビュー６０３に表示されているプロジェクタの１つを選択するＧＵＩ）を提供し、選択された１つのプロジェクタに対してのみ、Ｓ１０２１以降の処理を実行すればよい。
【手続補正６】
【補正対象書類名】明細書
【補正対象項目名】００９０
【補正方法】変更
【補正の内容】
【００９０】
Ｓ１０２５でＣＰＵ２０１は、通信部２０８を通じてコマンドを送信し、撮像装置４００に撮影条件を設定する。例えば既に「撮影条件自動設定」ボタン６０９の操作により、調整対象のプロジェクタそれぞれについての撮影条件が決定されている場合、ＣＰＵ２０１は該当する撮影条件をＲＡＭ２０２から読み出して設定することができる。あるいは、ＣＰＵ２０１は、撮像装置４００をシャッタスピード優先ＡＥモードに設定し、さらに、シャッタスピードをプロジェクタのフレームレートに応じた値に設定してもよい。この場合、シャッタスピードは、例えば、フレームレート［フレーム／秒］の逆数に等しいシャッタスピード（１／フレームレート［秒］）に設定することができる。
【手続補正７】
【補正対象書類名】明細書
【補正対象項目名】０１０６
【補正方法】変更
【補正の内容】
【０１０６】
「４点指定調整」および「自動形状決定」は、ユーザやＣＰＵ２０１によって予め定められた投写領域に、全てのプロジェクタの投写領域を合致させるキーストーン補正量を自動で決定する処理である。これに対し、「基準プロジェクタに合わせる」は、１つのプロジェクタを基準プロジェクタとして、基準プロジェクタの投写領域に他のプロジェクタの投写領域を合致させるようなキーストーン補正量を自動で決定するモードである。このモードの自動位置合わせが実行されるのは、基準プロジェクタの投写領域の位置が、指定された位置に調整されている場合である。基準プロジェクタ以外のプロジェクタの投写領域を基準プロジェクタの投写領域に合致させるためのキーストーン補正量を自動的に決定する。